(57)【特許請求の範囲】
【請求項１】
照明器具に装着されて使用される光源装置において、
直管状の透光性カバー体と、
前記透光性カバー体内に配されたＬＥＤモジュールと、
前記透光性カバー体の両端部を塞ぐ蓋体と、
前記透光性カバー体の端部と前記蓋体との間に配されたパッキンと
を備え、
前記蓋体は、前記透光性カバー体の内周面に沿って延出する内筒と、前記透光性カバー体の外周面に沿って延出する外筒とを有し、
前記パッキンは、前記透光性カバー体の外周面側に配される外パッキンと、前記透光性カバー体の内周面側に配される内パッキンとを有し、
前記内パッキンは、リング状をし、前記内筒の外周面に配される外周部と、前記内筒の内周面側に配される内周部とを一体に備える
光源装置。
【請求項２】
前記内パッキンは、前記内筒の延出端面に対向して配され且つ前記外周部と前記内周部とを連結する連結部を有する
請求項１に記載の光源装置。
【請求項３】
前記透光性カバー体内に収容され且つ前記ＬＥＤモジュールが表側に配される筒体と、
前記筒体の内部に配され且つ前記ＬＥＤモジュールに電力を供給する電源ユニットと
を備え、
前記電源ユニットは、絶縁性を有する筒状の絶縁筒と、前記絶縁筒の内部に収容される電源回路部と、前記絶縁筒の両端を塞ぐパッキンとから構成されている
請求項２に記載の光源装置。
【請求項４】
前記透光性カバー体内に収容され且つ前記ＬＥＤモジュールが配される筒体を備え、
前記筒体は、当該筒体の横断面において、前記ＬＥＤモジュールを配するための平坦面が表面に存在する筒部を有し、
前記筒部の裏側部分は、当該筒部の横断面において、前記平坦面が延伸する方向と平行な方向の寸法が表側部分よりも大きい
請求項２に記載の光源装置。
【請求項５】
前記透光性カバー体内に収容され且つ前記ＬＥＤモジュールが配される筒体と、
前記透光性カバー体内に収容され且つ前記筒体を位置決めして支持する位置決め部材とを備え、
前記位置決め部材は、前記透光性カバー体の中心軸と直交する状態に配される板状部と、板状部から筒状に延伸して前記筒体と嵌合する嵌合部と、前記板状部の外周縁から前記透光性カバー体の内周面に沿って延伸する延伸部とを有し、
前記延伸部は、当該位置決め部材が前記透光性カバー内で転倒するのを規制する長さを有する
請求項２に記載の光源装置。
【請求項６】
前記照明器具に装着される装着具を前記透光性カバー体に備え、
前記透光性カバー体は長手方向に延伸する一対のリブを短手方向に間隔をおいて裏側外面に有し、
前記リブは、前記裏側外面から立設する縦部と、前記縦部の立設先端から他方のリブに向かって延伸する横部とを有し、
前記装着具は、前記一対のリブと前記裏側外面とで形成された空間に一部が配され、前記横部に係合する状態で前記縦部に固定されている
請求項２に記載の光源装置。
【請求項７】
前記照明器具は、前記透光性カバー体の裏側部分を受け入れる受入口を有し、
前記受入口から挿入された前記透光性カバー体の長手方向の端部を覆うと共に前記受入口における前記透光性カバー体の長手方向の端部周辺を覆う端カバーを前記透光性カバー体の長手方向の端部に設けられている
請求項２に記載の光源装置。
【請求項８】
設置面に設置される照明器具と、当該照明器具に着脱自在に装着される直管状の光源装置とを備える照明装置において、
前記光源装置は請求項１〜７の何れか１項に記載の光源装置である
照明装置。
【発明の詳細な説明】
【技術分野】
【０００１】
本発明は、設置面に設置された照明器具に装着される光源装置及び当該光源装置を照明器具に備える照明装置に関するものである。
【背景技術】
【０００２】
ＬＥＤを光源にした照明装置は主に屋内で使用されてきたが、近年、駅のホーム等の屋根付きの屋外での使用が検討されている。屋外での使用に耐えられる防水性を有する光源装置が提案されている（例えば、特許文献１）。
特許文献１に記載の光源装置は、透光性カバー体と、当該透光性カバー体の両端に設けられる蓋体と、透光性カバー体と蓋体との間に配されるパッキンとを備える。蓋体は、透光性カバー体の開口端を閉塞する底壁と、透光性カバー体内に挿入される筒状の内壁と、透光性カバー体の周壁を挟んで内壁と対向する筒状の外壁とを備える。パッキンは、透光性カバー体の周壁と蓋体の外壁との間に挟み込まれる第１突片と、透光性カバー体の周壁と蓋体の内壁との間に挟み込まれる第２突片と、第１突片と第２突片との一端側を連結し且つ透光性カバー体の周壁と蓋体の底壁との間に挟み込まれる連結部と、第２突片の多端同士を連結して第２突片の多端側を閉塞する底板部とを備える。
【先行技術文献】
【特許文献】
【０００３】
【特許文献１】特開２０１５−１１１５３８号公報
【発明の概要】
【発明が解決しようとする課題】
【０００４】
上記構成の光源装置のパッキンでは、透光性カバー体と接触していない底板部が多く、コストが高いという問題がある。一方で、特許文献１の図１３のような形状のパッキンでは、透光性カバー体の端部を蓋体の外壁と内壁との間に挿入する際に、第２突片が挿入方向にずれてしまい、防水性が悪くなるという問題がある。
本発明が解決しようとする課題は、防水性を低下させずに安価に実施できる光源装置及び照明装置を提供することにある。
【課題を解決するための手段】
【０００５】
本発明に係る光源装置は、照明器具に装着されて使用される光源装置において、直管状の透光性カバー体と、前記透光性カバー体内に配されたＬＥＤモジュールと、前記透光性カバー体の両端部を塞ぐ蓋体と、前記透光性カバー体の端部と前記蓋体との間に配されたパッキンとを備え、前記蓋体は、前記透光性カバー体の内周面に沿って延出する内筒と、前記透光性カバー体の外周面に沿って延出する外筒とを有し、前記パッキンは、前記透光性カバー体の外周面側に配される外パッキンと、前記透光性カバー体の内周面側に配される内パッキンとを有し、前記内パッキンは、リング状をし、前記内筒の外周面に配される外周部と、前記内筒の内周面側に配される内周部とを一体に備える。
本発明に係る照明装置は、設置面に設置される照明器具と、当該照明器具に着脱自在に装着される直管状の光源装置とを備える照明装置において、前記光源装置は上記構成の光源装置である。
【発明の効果】
【０００６】
本発明によれば、内パッキンが外周部と内周部とを一体に有するリング状をしているため、蓋体の内筒から内パッキンが外れにくく、防水性の低下を抑制しつつ安価に実施できる。
【図面の簡単な説明】
【０００７】
【図１】実施形態に係る照明装置の斜視図である。
【図２】実施形態に係る照明装置の分解斜視図である。
【図３】実施形態に係る照明装置の縦断面図である。
【図４】実施形態に係る照明装置の横断面図である。
【図５】実施形態に係る照明装置の端部の拡大縦断面図である。
【図６】実施形態に係る照明器具の分解斜視図である。
【図７】実施形態に係る器具本体の図であり、（ａ）は器具本体を表側から見た図であり、（ｂ）は器具本体を設置面側から見た図である。
【図８】実施形態に係る端部材を内側から見た斜視図である。
【図９】実施形態に係る器具側装着具の斜視図である。
【図１０】実施形態に係る支持部材の図であり、（ａ）は支持部材を光源装置の長手方向から見た図であり、（ｂ）は支持部材の斜視図である。
【図１１】実施形態に係る光源装置を一方端側から見た分解斜視図である。
【図１２】実施形態に係る光源装置を他方端側から見た分解斜視図である。
【図１３】実施形態に係る光源装置端部の縦断面図である。
【図１４】実施形態に係る筒体の図であり、（ａ）は長手方向から見た図であり、（ｂ）は斜視図である。
【図１５】実施形態に係るＬＥＤモジュールの平面図である。
【図１６】実施形態に係る電源ユニットの図であり、（ａ）は電源筐体の斜視図であり、（ｂ）は絶縁ブッシュの斜視図であり、（ｃ）は電源回路の斜視図である。
【図１７】実施形態に係る透光性カバー体の斜視図である。
【図１８】実施形態に係る有孔側位置決め部材の図であり、（ａ）は外側から見た斜視図であり、（ｂ）は内側から見た斜視図である。
【図１９】実施形態に係る有孔側位置決め部材の図であり、（ａ）は側方から見た図であり、（ｂ）は内側から見た図であり、（ｃ）は裏側から見た図である。
【図２０】実施形態に係る無孔側位置決め部材の図であり、（ａ）は内側から見た斜視図であり、（ｂ）は外側から見た斜視図である。
【図２１】実施形態に係る有孔蓋体の図であり、（ａ）は外側から見た斜視図であり、（ｂ）は内側から見た図であり、（ｃ）は側方から見た図である。
【図２２】実施形態に係る無孔蓋体の図であり、（ａ）は外側から見た斜視図であり、（ｂ）は内側から見た図であり、（ｃ）は側方から見た図である。
【図２３】実施形態に係る無孔蓋体の縦断面図である。
【図２４】実施形態に係るパッキンコードの斜視図である。
【図２５】実施形態に係る外パッキンの図であり、（ａ）は斜視図であり、（ｂ）は縦断面図である。
【図２６】実施形態に係る内パッキンの図であり、（ａ）は斜視図であり、（ｂ）は縦断面図である。
【図２７】実施形態に係る光源側装置具の図であり、（ａ）は斜視図であり、（ｂ）は長手方向から見た図である。
【図２８】実施形態に係るカバーの図であり、（ａ）は外側から見た斜視図であり、（ｂ）は内側から見た斜視図である。
【図２９】実施形態に係るカバーの図であり、（ａ）は裏側から見た図であり、（ｂ）は内側から見た図である。
【発明を実施するための形態】
【０００８】
本発明の一態様に係る光源装置は、照明器具に装着されて使用される光源装置において、直管状の透光性カバー体と、前記透光性カバー体内に配されたＬＥＤモジュールと、
前記透光性カバー体の両端部を塞ぐ蓋体と、前記透光性カバー体の端部と前記蓋体との間に配されたパッキンとを備え、前記蓋体は、前記透光性カバー体の内周面に沿って延出する内筒と、前記透光性カバー体の外周面に沿って延出する外筒とを有し、前記パッキンは、前記透光性カバー体の外周面側に配される外パッキンと、前記透光性カバー体の内周面側に配される内パッキンとを有し、前記内パッキンは、リング状をし、前記内筒の外周面に配される外周部と、前記内筒の内周面側に配される内周部とを一体に備える。
【０００９】
別態様に係る光源装置において、前記内パッキンは、前記内筒の延出端面に対向して配され且つ前記外周部と前記内周部とを連結する連結部を有する。これにより蓋部の内筒にパッキンを被覆することで、所定位置に内パッキンを配することができる。
別態様に係る光源装置において、前記透光性カバー体内に収容され且つ前記ＬＥＤモジュールが表側に配される筒体と、前記筒体の内部に配され且つ前記ＬＥＤモジュールに電力を供給する電源ユニットとを備え、前記電源ユニットは、絶縁性を有する筒状の絶縁筒と、前記絶縁筒の内部に収容される電源回路部と、前記絶縁筒の両端を塞ぐパッキンとから構成されている。これにより電源ユニットの防水性を向上させることができる。
【００１０】
別態様に係る光源装置において、前記透光性カバー体内に収容され且つ前記ＬＥＤモジュールが配される筒体を備え、前記筒体は、当該筒体の横断面において、前記ＬＥＤモジュールを配するための平坦面が表面に存在する筒部を有し、前記筒部の裏側部分は、当該筒部の横断面において、前記平坦面が延伸する方向と平行な方向の寸法が表側部分よりも大きい。これにより電源ユニットを筒体の内部に収容するような場合でも、電源ユニットの幅が小さくても幅方向のずれを少なくできる。
別態様に係る光源装置において、前記透光性カバー体内に収容され且つ前記ＬＥＤモジュールが配される筒体と、前記透光性カバー体内に収容され且つ前記筒体を位置決めして支持する位置決め部材とを備え、前記位置決め部材は、前記透光性カバー体の中心軸と直交する状態に配される板状部と、板状部から筒状に延伸して前記筒体と嵌合する嵌合部と、前記板状部の外周縁から前記透光性カバー体の内周面に沿って延伸する延伸部とを有し、前記延伸部は、当該位置決め部材が前記透光性カバー内で転倒するのを規制する長さを有する。これにより位置決め部材の透光性カバーへの挿入を容易に行うことができる。
【００１１】
別態様に係る光源装置において、前記照明器具に装着される装着具を前記透光性カバー体に備え、前記透光性カバー体は長手方向に延伸する一対のリブを短手方向に間隔をおいて裏側外面に有し、前記リブは、前記裏側外面から立設する縦部と、前記縦部の立設先端から他方のリブに向かって延伸する横部とを有し、前記装着具は、前記一対のリブと前記裏側外面とで形成された空間に一部が配され、前記横部に係合する状態で前記縦部に固定されている。これにより装着具を透光性カバー体に強固に固定できる。
別態様に係る光源装置において、前記照明器具は、前記透光性カバー体の裏側部分を受け入れる受入口を有し、前記受入口から挿入された前記透光性カバー体の長手方向の端部を覆うと共に前記受入口における前記透光性カバー体の長手方向の端部周辺を覆う端カバーを前記透光性カバー体の長手方向の端部に設けられている。これにより照明器具の受入口の周辺の意匠性を向上させることができる。
＜実施形態＞
【００１２】
１．全体構成
照明装置１について、主に図１〜図５を用いて説明する。
照明装置１は、設置面に設置される照明器具３と、照明器具３に装着される光源装置５とを備える。照明器具３は光源装置５の裏側部分を受け入れる受入口１４を表側に有している。照明装置１は、受入口１４から裏側部分が受け入れられた光源装置５の長手方向の端部を覆うと共に受入口１４における光源装置５の端部周辺を覆う（隠す）端カバー（本発明の『「透光性カバー体の長手方向の端部周辺を覆うカバー」における「カバー」』の一例に相当する。）７を有している。ここでは、端カバー７は光源装置５の長手方向の端部に取り付けられる。
【００１３】
ここでの照明装置１は長尺タイプである。つまり、光源装置５は、光源であるＬＥＤ（２７３）を直線状に有し、当該直線が延伸する方向の寸法が、直線と直交する方向の寸法よりも大きくなっている。
光源装置５はその表側、例えば下方を照射するようにＬＥＤ２７３を表（下）向きに有する（図４参照）。つまり、照明器具３の設置面は天井、屋根等のように上方に存在する。照明装置１は駅のホーム等の屋外にも使用できる防雨・防湿型である。
照明器具３と光源装置５との電気的接続は、照明器具３内に引き込まれた電源ケーブルと、光源装置５の外部に引き出された外ケーブルとを結線することで行われる。なお、結線部分は防水性能の高い絶縁カバーや絶縁テープで覆われる。
以下、各部について詳細に説明する。
【００１４】
２．照明器具
主に図２〜図１１を用いて説明する。
照明器具３は、設置面に固定される器具本体１１と、光源装置５を着脱自在に装着する器具側装着具１３とを有している。照明器具３は、器具本体１１、器具側装着具１３以外に、器具側装着具１３により装着された光源装置５を支持する支持部材２０を有してもよい。
【００１５】
（１）器具本体
主に図２、図４〜図９を用いて説明する。
器具本体１１は、表側に受入口１４を有する長尺箱状をしている（図２参照）。つまり、器具本体１１は、矩形板状の裏壁１５と、裏壁１５の短手方向の両端に位置する（短手方向と直交する）側壁１７，１９と、裏壁１５の長手方向の両端に位置する（長手方向と直交する）する端壁２１，２３と、側壁１７，１９における表側の端から他方の側壁１７，１９に向かって延伸する一対の表壁２５，２７とを有する。
【００１６】
器具本体１１は、図６に示すように表側が開口する横断面形状が「Ｃ」字状に似た形状を有する器具本体部材（所謂、「Ｃチャン」に似た形状をした部材である。）３１と、器具本体部材３１の長手方向の端を塞ぐ端部材３３，３５とで構成されている。
つまり、器具本体部材３１は、裏壁１５、側壁１７，１９及び表壁２５，２７が一体化されたものに相当し、端部材３３，３５は端壁２１，２３に相当する。受入口１４は器具本体部材３１の一対の表壁２５，２７と一対の端部材３３，３５の表壁５９とにより囲まれて形成される。なお、図６では受入口１４を示す引き出し線に矢印を利用し、側壁１９と区別している。
【００１７】
（１−１）器具本体部材
主に図６及び図７を用いて説明する。
照明器具３は長手方向の中央（貫通孔４５が存在する位置である。）に対して（左右）対称であり、図７は長手方向の略半分を示している。
器具本体部材３１は例えば金属板をプレス加工することで得られる。
裏壁１５は器具本体１１を設置面に固定するための固定手段を有している。本実施形態では器具本体１１を固定するためにねじ部材が利用され、裏壁１５はねじ部材用の貫通孔４１を有する。固定は少なくとも２か所以上で行われ、裏壁１５の長手方向に間隔をおいて２個以上の貫通孔４１が設けられている。ここでは、貫通孔４１は４個設けられている。これにより、設置面の種々の寸法条件に対応して器具本体１１を設置できる。
裏壁１５は、商用電源と接続する電源ケーブルを器具本体１１の内部に導入するための貫通孔４５を有している。ここでの貫通孔４５は、裏壁１５における長手方向の略中央とその両側の計３か所に設けられている。
【００１８】
一対の表壁２５，２７は、長手方向の両端部に凹入部分２５ａ，２７ａを有し、当該凹入部分２５ａ，２７ａの長手方向の中央よりも端側に他方の表壁２５，２７に向かって延伸する延伸部２５ｂ，２７ｂを有している（図７の（ａ）の拡大図参照。）。
凹入部分２５ｃ，２７ｃには光源装置５の蓋体２１５，２１７の裏側半分程度が嵌合する。
器具本体部材３１は後述の端部材３３，３５を固定するための固定手段を有している。第１の固定にはねじ部材が利用され、当該ねじ部材用のねじ孔１５ａが第１の固定手段として裏壁１５の長手方向の端部に設けられている（図６参照）。ねじ孔１５ａに螺合するねじ部材は端部材３３，３５の裏壁５３の貫通孔５５（図８参照）を挿通する。第２の固定手段は一対の表壁２５，２７における長手方向の両端に設けられている凹入部分２５ａ，２７ａと延伸部２５ｂ，２７ｂにより構成されている。延伸部２５ｂ，２７ｂは延伸方向の途中で折り曲げられ、端部材３３，３５の小欠け部６３に係合する。
【００１９】
（１−２）端部材
主に図８を用いて説明する。
端部材３３，３５は例えば金属板をプレス加工することで得られる。なお、端部材は樹脂材料により構成してもよい。樹脂材料を用いることで軽量化及びコストダウンを図ることができる。
端部材３３，３５は器具本体部材３１の長手方向の両端の開口を塞ぐ端壁２１，２３を有する。ここでの端壁２１，２３は器具本体部材３１の横断面形状に対応した矩形状をしている。
端部材３３，３５は、当該端部材３３，３５を器具本体部材３１に対して安定して取り付けるための取付安定部を有している。取付安定部は端壁２１，２３における裏側の端から当該端壁２１，２３と直交する方向に延伸する裏壁５３により構成される。裏壁５３は器具本体部材３１の裏壁１５（例えば、裏壁１５の外面である。）と当接する。
裏壁５３は端部材３３，３５を器具本体部材３１に取り付けるための取付手段を有する。ここでは取り付けにねじ部材（図示省略）が利用される。
器具本体部材３１は端部材３３，３５用のねじ孔１５ａを裏壁１５における長手方向の端に有し（図６参照）、端部材３３，３５は裏壁１５と当接する裏壁５３にねじ部材用の貫通孔５５を有する。
【００２０】
端部材３３，３５は器具本体部材３１の変形を抑制するための補強部を有している。補強部は端壁２１，２３における器具本体部材３１の短手方向の端から端壁２１，２３と直交する方向に延伸する一対の側壁５７，５７により構成される。側壁５７は器具本体部材３１の側壁１７，１９（例えば内面である。）と当接する。なお、補強部は端部材３３，３５を器具本体部材３１に取り付ける際の作業性を向上させる機能を有する。
端部材３３，３５は器具本体部材３１の変形を抑制するための補強部を上記の側壁５７以外に有している。補強部は、端壁２１，２３における表側の端から端壁２１，２３と直交する方向に延伸する表壁５９により構成される。
【００２１】
一対の側壁５７，５７は表側端から対向する側壁５７へ向かうように折り曲げられた折曲部６１を有し、その先端に小欠け部６３を有している。表壁２５，２７の延伸部２５ｂ，２７ｂは折り曲げられて小欠け部６３に嵌り係合する。折曲部６１は器具本体部材３１の表壁２５，２７を内側から支持する。
【００２２】
（２）器具側装着具
主に図９を用いて説明する。
器具側装着具１３は光源側装置具２２３（図２７参照）を利用して光源装置５を装着する。
装着はばね体８１の復元力を利用して行われる。つまり、器具側装着具１３が光源側装置具２２３を装着する際に、ばね体８１が器具本体１１の裏壁１５から離れるように弾性変形した状態で光源側装置具２２３に係合する。そして、ばね体８１の復元力で光源側装置具２２３が器具本体１１の裏壁１５へと近づく。これにより、光源装置５が照明器具３に装着される。
【００２３】
器具側装着具１３は、ばね体８１と、ばね体８１を器具本体１１に固定するためのばね固定部材８３とを有する。
ばね体８１は、一対のコイルばね部８５，８７と、各コイルばね部８５，８７の一端から延出する一対の延出線部８９，９１と、各コイルばね部８５，８７の他端から延出して互いに連結するＵ字状線部９３とを有する。なお、Ｕ字状線部９３は光源側装置具２２３に係合する（図５参照）。
ばね固定部材８３は、裏壁１５に固定される固定部９５と、コイルばね部８５，８７を固定するためのコイル固定部９７とを有している。
【００２４】
（３）支持部材
主に図１０を用いて説明する。
支持部材２０は、金属製の長尺の矩形板を湾曲させたり、樹脂材料を射出成形したりして構成される。ここでは、支持部材２０は１枚の金属板をプレス加工することで得られる。
支持部材２０は、器具本体１１の裏壁１５に固定される固定部１０１と、光源装置５における透光性カバー体２０９を支持する支持部１０３と、固定部１０１と支持部１０３とを連結する連結部１０５とを有する。
ここでは、支持部材２０は、照明器具３の長手方向と直交する断面において（図１０の（ａ）である。）固定部１０１と支持部１０３を照明器具３の短手方向に間隔をおいて２個有している。支持部材２０は透光性カバー体２０９のリブ２９５を収容するためのリブ収容凹部１０４を有する。リブ収容凹部１０４は２つの支持部１０３の間に設けられている。
【００２５】
（３−１）固定部
固定部１０１は、器具本体１１の裏壁１５に当接する板状をし、ねじ孔１１１を有している。支持部材２０の器具本体１１への固定には、例えばねじ部材１１２が利用され、器具本体部材３１の裏壁１５の貫通孔１５ｂを挿通するねじ部材１１２が各固定部１０１のねじ孔１１１に螺合することで行われる。なお、ねじ孔１１１はバーリング孔に対してタップ加工することで得られる。
【００２６】
（３−２）支持部
支持部１０３は光源装置５における裏壁１５側の面（カバー筒部２９３の裏壁２９３ａの外面である。）に当接する。支持部１０３は光源装置５の透光性カバー体２０９における一対のリブ２９５，２９５の外側部分に当接する（図４参照。）。支持部１０３は器具本体１１の裏壁１５と略平行に器具本体１１の長手方向に沿って延伸する。
【００２７】
（３−３）連結部
連結部１０５は、各固定部１０１と各支持部１０３における器具本体１１の短手方向の外側端同士を連結している。ここでの連結部１０５は表裏方向と平行な状態で連結している。なお、連結部１０５は表裏方向に対して傾斜した状態で連結してもよい。
【００２８】
（３−４）リブ収容凹部
リブ収容凹部１０４は、支持部１０３のそれぞれにおける器具本体１１の短手方向の内側端から裏側に凹入している。リブ収容凹部１０４は、支持部１０３から裏側へと延伸する１対の側壁部分１０７と、側壁部分１０７の裏側端同士を連結する底壁部分１０９とから構成される。なお、底壁部分１０９は器具本体１１の裏壁１５と平行に設けられているが、平行でなくてもよい。
【００２９】
３．光源装置
主に図１１〜図２７を用いて説明する。
光源装置５は、図１１及び図１２に示すように、長尺状の筒体２０３（図１４参照）と、実装基板２７１にＬＥＤ２７３が実装されてなるＬＥＤモジュール２０５(図１５参照）と、筒体２０３の内部に配された電源ユニット２０７と、筒体２０３を内部に収容する筒状の透光性カバー体２０９と、透光性カバー体２０９の内部に配され且つ筒体２０３の位置決めを行う位置決め部材２１１，２１３と、透光性カバー体２０９の両端を塞ぐ蓋体２１５，２１７と、透光性カバー体２０９の端部と蓋体２１５，２１７との間に配されたパッキン（２１９，２２１）と、透光性カバー体２０９に設けられ且つ照明器具３に装着される光源側装置具２２３とを備える。なお、図１３等のパッキンは他部材により押圧される前の形状で示している。
【００３０】
（１）筒体
主に図４及び図１４を用いて説明する。
筒体２０３は、横断面において、ＬＥＤモジュール２０５が配される平坦面２４５を有する筒部２３１を有する。筒体２０３は筒部２３１以外に一対の延伸部２３３，２３３を有している。筒体２０３は例えば金属材料により構成されている。ここでは押し出し成形品が利用されている。筒体２０３はＬＥＤモジュール２０５の発光中の熱を放出するヒートシンク機能も有している。
【００３１】
（１−１）筒部
筒部２３１は、横断面において、表側部分２３１ａの筒部２３１の短手方向（横断面において平坦面が延伸する方向である。）の寸法が裏側部分２３１ｂの短手方向の寸法よりも小さい。つまり、筒部２３１は、表側に幅狭部分（２３１ａ）を有し、その裏側から短手方向の外方に張り出す幅広部分（２３１ｂ）を有する。具体的には、筒部２３１は表側の短手方向の両側が凹んだ矩形状をしている。凹んだ部分を符号「２３５」で示している。
筒部２３１は裏壁２３７、表壁２３９、一対の側壁２４１，２４３を有する。筒部２３１の裏壁２３７と表壁２３９は器具本体１１の裏壁１５と平行に配される。表壁２３９の表面が平坦面２４５となっている。
【００３２】
表壁２３９は筒体２０３の横断面において裏壁２３７側へと凹入し、当該凹入した凹入部分２４７の底面が平坦面２４５となっている。図１４の（ａ）では凹入部分２４７の引き出し線を矢印としている。
筒部２３１は筒体２０３の横断面において凹入部分２４７の両側から当該凹入部分２４７を塞ぐように張り出す張出片２５３，２５３を有している。凹入部分２４７と張出片２５３，２５３とで形成される溝２５５，２５７にＬＥＤモジュール２０５の実装基板２７１が挿入されている。
【００３３】
筒体２０３の長手方向の両端には、図１１〜図１３に示すように、筒体２０３の両端面に当接する状態で位置決め部材２１１，２１３の筒状部３０５，３０７が嵌合する。
筒部２３１の内部には、図４及び図１１に示すように電源ユニット２０７が配される。筒部２３１の電源ユニット２０７の電源筐体２８３の短手方向の寸法は筒部２３１の表側部分２３１ａにおける光源装置５の短手方向の寸法と略一致している。これにより、位置規制手段を設けることなく電源ユニット２０７の筒体２０３の短手方向の移動を規制できる。なお、筒部２３１と電源ユニット２０７の電源筐体２８３との間の空間に外ケーブルが配される。これにより電源回路部２８２のノイズを少なくできる。
【００３４】
（１−２）延伸部
一対の延伸部２３３，２３３は表壁２３９の短手方向の両側（側壁２４１，２４３が存在する側）の角部分２６１，２６３から短手方向に直線状に延伸する。一対の延伸部２３３，２３３の延伸先端は図４に示すように透光性カバー体２０９のカバー筒部２９３の内面近傍に達している。
各延伸部２３３の短手方向の両端２５１，２５３（内側の端２５３は張出片２５３である。）が表側へと折り返されて、反射シート２２５を固定する固定手段を構成する。これにより、ＬＥＤモジュール２０５から出射された光が延伸部２３３，２３３の裏側に回り込むのを防止でき、光の取り出し効率を向上させることができる。
なお、一対の延伸部２３３，２３３の短手方向の内側の端が溝２５５，２５７を構成する張出片２５３，２５３を兼用しており、延伸部２３３，２３３の短手方向の内側の端の符号も「２５３」、「２５３」としている。
一対の延伸部２３３，２３３は、光源装置５を照明器具３に装着した状態の横断面において（図４参照）、照明器具３の表壁２５，２７と略同じ位置（表裏方向においてである。）となるように設けられている。
【００３５】
（１−３）その他
筒体２０３は、図４、図１１、図１２及び図１４に示すように、透光性カバー体２０９の内周に嵌合する位置決め部材２１１，２１３を介して透光性カバー体２０９に取り付けられる。筒体２０３は位置決め部材２１１，２１３と連結される連結部２６５，２６５，２６７，２６７を有している。連結部２６５，２６５，２６７，２６７は、一対の延伸部２３３，２３３よりも裏側に設けられている。
連結部２６５，２６５は延伸部２３３，２３３のそれぞれと筒部２３１とのつながり部分に設けられている。連結部２６７，２６７は筒部２３１の裏側部分２３１ｂの外面に設けられている。これにより、ＬＥＤモジュール２０５から出射される光に影等を発生させることなく、筒体２０３と位置決め部材２１１，２１３とを連結できる。
筒体２０３と位置決め部材２１１，２１３との連結には例えばタッピングねじが利用され、連結部２６５，２６５，２６７，２６７は筒体２０３の長手方向に延伸する溝により構成されている。
【００３６】
（２）ＬＥＤモジュール
主に図１５を用いて説明する。
ＬＥＤモジュール２０５は実装基板２７１と複数個のＬＥＤ２７３とを備える。実装基板２７１は、矩形長尺状をし、実装基板２７１の長手方向と筒体２０３の長手方向が一致するように平坦面２４５に配される。複数個のＬＥＤ２７３は実装基板２７２の長手方向に沿って２列で等間隔で設けられている。なお、ＬＥＤ２７３の配列は一例である。
ＬＥＤモジュール２０５は、実装基板２７１の長手方向の端部であって短手方向の両側に、電源ユニット２０７と電気的に接続する内ケーブルと接続するための接続端子を有している。具体的には内ケーブルの端に設けられたアダプタ（図示省略）と接続するコネクタ２７５が設けられている。
【００３７】
（３）電源ユニット
主に図１６を用いて説明する。
電源ユニット２０７は商用電源等から受電してＬＥＤモジュール２０５のＬＥＤ２７３に供給する電力を生成する。電源ユニット２０７は、図１６の（ｃ）に示すように電力生成のための回路２７６を構成する複数個の電子部品を回路基板２８１に実装する電源回路部２８２が図１６の（ａ）に示す電源筐体２８３内に収容されてなる。生成された電力は、内ケーブルを介してＬＥＤモジュール２０５へ供給される。なお、図１６の（ｃ）では、複数個の電子部品を便宜上箱状で表している。
電源ユニット２０７は図１１に示すように筒体２０３の内部に配される。電源筐体２８３は長尺箱状をし、筒体２０３の内部では電源筐体２８３の長手方向と筒体２０３の長手方向とが一致する。
【００３８】
回路基板２８１は、長手方向の一方の端部（位置決め部材２１１や蓋体２１５が存在する側である。）に内ケーブルと接続するための接続端子を有する。具体的には内ケーブルの端に設けられたアダプタと接続するコネクタ２８７が設けられている。回路基板２８１は、長手方向の他方の端部（位置決め部材２１３や蓋体２１７が存在する側である。）に外ケーブルと接続される。ここでは、外ケーブルが半田により回路基板２８１に直接接続されている。なお、外ケーブルは蓋体２１５、位置決め部材２１１を通って筒体２０３に内部に入り、電源筐体２８３の外部に沿って配され、電源筐体２８３の他端の絶縁パッキンの貫通孔２９０から電源筐体２８３へと導入される。
【００３９】
電源筐体２８３は、図１６の（ａ）に示すように、絶縁性を有する筒状の絶縁筒２８４と、絶縁筒２８４の端部の開口を塞ぐ絶縁パッキン（本発明の『絶縁筒の両端を塞ぐパッキンの「パッキン」』の一例に相当する。）２８６を有する。
絶縁筒２８４は横断面形状が矩形状をしている。なお、絶縁筒２８４の内周面の幅は回路基板２８１の幅と略同じである。絶縁筒２８４の両側の絶縁パッキン２８６間の長さは回路基板２８１の長さと略同じである。これにより電源筐体２８３内の電源回路部２８２のガタツキを抑制することができる。
絶縁パッキン２８６は矩形柱状をしている。絶縁パッキン２８６は、絶縁筒２８４に嵌合して内周面を圧接する嵌合部２８８と、絶縁筒２８４の長手方向の端面に当接する鍔部２８９と、嵌合部２８８を貫通する貫通孔２９０とを有する。貫通孔２９０は、外ケーブルや内ケーブルを通すためのものである。なお、貫通孔２９０はケーブルを通す前は塞がっており、ケーブルの挿入により貫通孔となる。
【００４０】
（４）透光性カバー体
主に図４及び図１７を用いて説明する。
透光性カバー体２０９は、筒状をし、透光性を有する樹脂材料により構成されている。
透光性カバー体２０９は、内部に筒体２０３、ＬＥＤモジュール２０５、電源ユニット２０７等を収容するカバー筒部２９３を有している。透光性カバー体２０９はカバー筒部２９３の長手方向に延伸するリブ２９５を１本以上有している。
【００４１】
カバー筒部２９３は横断面形状が台形状に似た形状を有している。横断面における台形状を構成する一対の平行な辺（壁）２９３ａ，２９３ｂの内、長さの短い辺（壁）２９３ａ側が照明器具３に装着されたときに器具本体１１の裏壁１５と対向する。台形状を構成する壁のうち、器具本体１１の裏壁１５に近い壁を裏壁２９３ａとし、裏壁１５から遠い壁を表壁２９３ｂとし、側方の壁を側壁２９３ｃ，２９３ｄとする。
カバー筒部２９３の表壁２９３ｂは横断面において透光性カバー体２０９の短手方向の略中央が最も張り出す円弧状をしている。
【００４２】
リブ２９５は、２本あり、互いに平行な状態でカバー筒部２９３の長手方向に沿って延伸する。２本のリブ２９５はカバー筒部２９３の裏面に設けられている。２本のリブ２９５，２９５は横断面においてカバー筒部２９３の裏面と直交して延伸した後、相手のリブ２９５，２９５に向かう逆Ｌ字状をしている。つまり、リブ２９５，２９５は、カバー筒部２９３から立設する縦部２９５ａと、縦部２９５ａの立設先端から短手方向に延伸する横部２９５ｂとを有している。２本のリブ２９５の間には後述の光源側装置具２２３が長手方向の端部から挿入され、光源側装置具２２３が横部２９５ｂに係止する状態でリブ２９５に取り付けられている。
【００４３】
光源側装置具２２３の取付にはねじ部材２２４が利用され、リブ２９５，２９５の縦部２９５ａ，２９５ａには貫通孔２９７，２９７が設けられている。これにより、係止構造と螺合手段とにより光源側装置具２２３を強固に透光性カバー体２０９に固定できる。
【００４４】
（５）位置決め部材
主に図１３、図１８〜図２０を用いて説明する。
位置決め部材２１１，２１３は透光性カバー体２０９の内部であって筒体２０３の長手方向の両端に配される。位置決め部材２１１，２１３は透光性カバー体２０９の内部で筒体２０３を支持する機能も有している。
位置決め部材２１１，２１３の基本的な構成は同じであるが、外ケーブルが筒体２０３の一方の端部から導出され、内ケーブルが筒体２０３の一方の端部から導入・導出されるため、位置決め部材２１１，２１３の構成に異なる部分がある。
【００４５】
ここでは、筒体２０３の内部に収容されている電源ユニット２０７に近い側の端部が上記の一方の端部であり、当該端部に配される位置決め部材２１１を有孔側位置決め部材２１１とし、他方の端部に配される位置決め部材２１３を無孔側位置決め部材２１３とする。
有孔側位置決め部材２１１及び無孔側位置決め部材２１３の共通の構成は、単に位置決め部材２１１，２１３として説明し、個別の構成については、位置決め部材を区別して説明する。
【００４６】
（５−１）共通構成
位置決め部材２１１，２１３は、板状部３０１，３０３と、当該板状部３０１，３０３の一方の面に設けられた筒状部（本発明の「嵌合部」の一例に相当する。）３０５，３０７とを有する。位置決め部材２１１，２１３は板状部３０１，３０３の外周部分に板状部３０１，３０３の厚み方向であって内側に向かって延伸する延伸部３０９，３１１を有している。なお、板状部３０１，３０３において筒体２０３が存在する側を内側と、蓋体２１５，２１７が存在する側を外側とそれぞれする。
【００４７】
（板状部）
板状部３０１，３０３は透光性カバー体２０９の内周面の一部又は全部（ここでは全部である。）に当接する外周面を有している。板状部３０１，３０３は筒体２０３と結合するためのねじ部材が挿通する貫通孔３１３，３１５を有している。ここでは４個設けられている。中心付近に存在する一対の貫通孔３１３，３１３は、蓋体２１５，２１７、位置決め部材２１１，２１３及び筒体２０３を結合する第１ねじ部材３１４用であり、当該貫通孔３１３を第１貫通孔３１３とする。一対の第１貫通孔３１３，３１３の外側に存在する他の一対の貫通孔３１５，３１５は位置決め部材２１１，２１３及び筒体２０３を結合する第２ねじ部材３１６用であり、当該貫通孔３１５を第２貫通孔３１５とする。
板状部３０１，３０３は補強リブ３０２，３０４を有している。補強リブ３０２，３０４は板状部３０１，３０３における筒体２０３側に位置する面（内面である。）に設けられている。
【００４８】
（筒状部）
筒状部３０５，３０７は筒体２０３の筒部２３１と嵌合する。筒状部３０５，３０７は筒体２０３の筒部２３１の内部に挿入される（筒部２３１に対して内嵌する。）。筒状部３０５，３０７の横断面形状は矩形状をし、筒状部３０５，３０７の外周面が筒体２０３の筒部２３１の内周面と当接する（もしくは、近接する）。
【００４９】
（延伸部）
延伸部３０９，３１１は透光性カバー体２０９のカバー筒部２９３の内周面に沿うように設けられている。
延伸部３０９，３１１は、図１８〜図２０に示すように、板状部３０１，３０３の外周縁の全周に亘って設けられている。延伸部３０９，３１１は、延伸長さ（カバー筒部２９３の中心軸が延伸する方向（長手方向）の寸法である。）の異なる２つの領域を有している。つまり、延伸部３０９，３１１は、延伸長さの短い短延伸部分３０９ａ，３１１ａと、短延伸部分３０９ａ，３１１ａよりも延伸長さが長い長延伸部分３０９ｂ，３１１ｂとを有している。
【００５０】
長延伸部分３０９ｂ，３１１ｂは、透光性カバー体２０９の幅方向に相当する方向から見たとき（図１９の（ａ)に相当する。）に、筒状部３０５，３０７よりも表側に位置する部位から裏側に亘る裏側半分に設けられている。なお、筒状部３０５，３０７の表側に位置する部位は、ＬＥＤモジュール２０５のＬＥＤ２７３の位置近傍に相当する。これにより、ＬＥＤ２７３から発せられた光が長延伸部分３０９ｂ，３１１ｂにより遮断されるのを防止できる。
長延伸部分３０９ｂ，３１１ｂの長さ（カバー筒部２９３の長手方向と平行な方向の寸法である。）は、位置決め部材２１１，２１３がカバー筒部２９３内で転倒するのを防止できる長さ以上が好ましい。つまり、透光性カバー体２０９内で位置決め部材２１１，２１３が傾斜した際の支点と長延伸部分３０９ｂ，３１１ｂの延伸端（板状部３０１，３０３と反対側の端である。）との距離が、支点と透光性カバー体２０９の内周面（前記延伸端と対向する部位）との距離よりも大きいことが好ましい。
【００５１】
位置決め部材２１１，２１３は上記長さの長延伸部分３０９ｂ，３１１ｂを有することにより、板状部３０１，３０３の外周面と透光性カバー体２０９の内周面との当接（接触）面積を増やすことができ、位置決め部材２１１，２１３が透光性カバー体２０９の内部で倒れるのを防止できる。特に、延伸部３０９，３１１は、板状部３０１，３０３の内側に位置する面（内面）から内側へと突出しており、板状部３０１，３０３の外面は面一となっている。これにより、蓋体２１５，２１７、内パッキン２２１及び位置決め部材２１１，２１３との密着性を向上させることができる（図１３参照）。
【００５２】
（５−２）有孔側位置決め部材
主に図１３、図１８及び図１９を用いて説明する。
有孔側位置決め部材２１１の板状部３０１は筒状部３０５の内周面に囲まれた領域と当該領域の外側領域とのそれぞれに１つの貫通孔３１９，３２１を有している。筒状部３０５の内周面に囲まれた領域に設けられた貫通孔３１９を領域内貫通孔３１９とし、筒状部３０５の内周面に囲まれた領域の外側領域に設けられた貫通孔３２１を領域外貫通孔３２１とする。
電源ユニット２０７とＬＥＤモジュール２０５とを電気的に接続する内ケーブルは、電源ユニット２０７を基準にすると、領域内貫通孔３１９から有孔側位置決め部材２１１の外側に引き出され、その後、領域外貫通孔３２１から有孔側位置決め部材２１１の内側へと戻される。
電源ユニット２０７と商用電源側の電源ケーブルとを電気的に接続する外ケーブルは領域内貫通孔３１９から有孔側位置決め部材２１１の内側に入り、筒状部３０５の欠け部分３０５ａから筒体２０３の内部へと導入される。
【００５３】
（５−３）無孔側位置決め部材
主に図２０を用いて説明する。
無孔側位置決め部材２１３の板状部３０３は、有孔側位置決め部材２１１と異なり、外ケーブルや内ケーブルが通らないため、有孔側位置決め部材２１１のような貫通孔３１９，３２１や欠け部分３０５ａを有していない。
【００５４】
（６）蓋体
主に図１１〜図１３、図２１〜図２３を用いて説明する。
蓋体２１５，２１７は透光性カバー体２０９の長手方向の両端に配される。蓋体２１５，２１７は、特に、電源ユニット２０７、ＬＥＤモジュール２０５等を収容している透光性カバー体２０９の内部空間が密閉状態となるように、透光性カバー体２０９の両端開口を塞ぐ。
蓋体２１５，２１７は２種類ある。蓋体２１５，２１７は、基本的な構成は同じであるが、外ケーブルが透光性カバー体２０９内に導入されるため構成に異なる部分がある。ここでは、外ケーブルが通るケーブル孔３６１の有無の違いである。ケーブル孔３６１を有する蓋体を有孔蓋体２１５とし、他方の孔を有さない蓋体を無孔蓋体２１７とする。なお、有孔蓋体２１５は有孔側位置決め部材２１１が存在する側にあり、無孔蓋体２１７は無孔側位置決め部材２１３が存在する側にある。
有孔蓋体２１５及び無孔蓋体２１７における共通の構成は単に蓋体２１５，２１７として説明し、構成の異なる部分について有孔蓋体２１５を用いて説明する。共通の構成は同じ符号を用いる。
【００５５】
（６−１）共通構成
蓋体２１５，２１７は平板部３６３，３６５と嵌合部３６７，３６７とを有する。嵌合部３６７，３６７は平板部３６３，３６５の外周端部に設けられている。平板部３６３，３６５において透光性カバー体２０９が存在する側を内側と、透光性カバー体２０９が存在しない側を外側とそれぞれする。
平板部３６３，３６５は蓋体２１５，２１７を透光性カバー体２０９に取り付けるための取付手段を有している。ここでは、取付手段として第１ねじ部材３１４が利用され、平板部３６３，３６５は第１ねじ部材３１４用の貫通孔３６９を有する。第１ねじ部材３１４は外側から蓋体２１５，２１７の貫通孔３６９及び位置決め部材２１１，２１３の第１貫通孔３１３を挿通して、筒体２０３の連結部（溝）２６５に螺着される。
平板部３６３，３６５は後述の端カバー７を固定するための固定手段を有する。ここでは、固定手段としてねじ部材５１５が利用され(図２参照）、平板部３６３，３６５はねじ部材用のねじ穴３６６を有している。なお、ねじ穴３６６はボス３６４を利用して設けられている。
【００５６】
平板部３６３，３６５は透光性カバー体２０９の内部へと凹入する凹入部３７１を貫通孔３６９の存在する部位に有する。具体的には凹入部３７１は有底円筒状に凹入し、当該底部分３７３に貫通孔３６９が設けられている。
嵌合部３６７は透光性カバー体２０９の端部が挿入される挿入溝３７５を有する。なお、挿入溝３７５は矢印の引き出し線で示している。透光性カバー体２０９の端部の全周が挿入溝３７５に挿入する。挿入溝３７５は透光性カバー体２０９の周面に当接する凸部３７７を内部に有する。ここでは、挿入溝３７５は挿入溝３７５を構成する内周面３７９に凸部３７７を有している。凸部３７７は挿入溝３７５の底面３８１側に存在する。
【００５７】
挿入溝３７５の内周面３７９は挿入溝３７５の開口３８３から底面３８１に向かう途中で外周面３８２に近づく段差状をし、当該段差３８５により凸部３７７が構成されている。内周面３７９の段差位置は平板部３６３，３６５の延長上に位置している。
換言すると、嵌合部３６７は、平板部３６３，３６５の外周縁よりも平板部３６３，３６５の中心側に位置する部位から内側へと張り出して全体として筒状をする第１内筒部分（本発明の蓋体の「内筒」の一例に相当する。）３８７と、平板部３６３，３６５の外周縁から第１内筒部分３８７が張り出す方向と反対側（外側）へ筒状に張り出して全体として筒状をする第２内筒部分３８９と、第２内筒部分３８９の張り出し先端から平板部３６３，３６５の中央と反対側（平板部の外方）へ延伸する底部分３９１と、底部分３９１の外周縁から第１内筒部分３８７が張り出す方向と平行な方向（内側）へ張り出して全体として筒状をする外筒部分（本発明の蓋体の「外筒」の一例に相当する。）３９３とを有している。第１内筒部分３８７と第２内筒部分３８９との間に上記の段差３８５が存在する。
【００５８】
段差３８５を構成している内周面であって外周面３８２に近い部分（第２内筒部分３８９）は透光性カバー体２０９の内周面２０９ａに当接する。
第１内筒部分３８７の内側端は、透光性カバー体２０９の短手方向から見たとき（図２３の見る方向と同じである。）に、凹入部３７１の底部分３７３の延長線よりも外側近傍に位置する。つまり、蓋体２１５，２１７を第１ねじ部材３１４で位置決め部材２１１，２１３を介して筒体２０３に取り付けた際に、図１３に示すように、凹入部３７１の底部分３７３の外面が位置決め部材２１１，２１３の外面に当接し、第１内筒部分３８７の内側端と位置決め部材２１１，２１３との間に隙間３９５が生じる。この隙間３９５に後述の内パッキン２２１の連結部４３３が配される。
【００５９】
（６−２）有孔蓋体
主に図２１を用いて説明する。
有孔蓋体２１５は平板部３６３を貫通する貫通孔を外ケーブルが通るケーブル孔３６１として有している。このケーブル孔３６１には図２４に示す防水・防湿用のパッキンコード４０１が嵌め込まれ、外ケーブルがパッキンコード４０１に設けられた配線孔４０３，４０４，４０５を通って筒体２０３の筒部２３１内へと導入される。なお、ＬＥＤモジュール２０５を調光する場合は調光信号用配線が配線孔４０６を通る。
【００６０】
有孔蓋体２１５は嵌合部３６７の裏面（器具本体１１の裏壁１５が存在する側）に外ケーブルを固定するケーブル固定部４０７を有している。ケーブル固定部４０７は光源装置５の長手方向から有孔蓋体２１５を見たときに、透光性カバー体２０９の一対のリブ２９５，２９５間に位置している。
ケーブル固定部４０７は、嵌合部３６７から延伸する延伸片により構成され、延伸片の基部から先端に向かう途中に嵌合部３６７から離れるように湾曲（隆起）する形状をしている。延伸片は嵌合部３６７に対して遠近方向に弾性変形可能である。
（６−３）無孔蓋体
無孔蓋体２１７は、（６−１）の共通構成を有しており、特に異なる構成はない。
【００６１】
（７）パッキン
主に図１１〜図１３、図２５及び図２６を用いて説明する。
パッキンは、透光性カバー体２０９の端部の外周面２０９ｂに配される外パッキン２１９と、透光性カバー体２０９の端部の内周面２０９ａに配される内パッキン２２１とから構成される。外パッキン２１９及び内パッキン２２１はリング状（環状）をしている。
外パッキン２１９は蓋体２１５，２１７の挿入溝３７５の内部の外周側に配される。内パッキン２２１はその半分が蓋体２１５，２１７の挿入溝３７５の内部の内周側に配される。外パッキン２１９及び内パッキン２２１はウレタン系ゴム、ニトリル系ゴム等の合成ゴム材料により構成されている。
【００６２】
（７−１）外パッキン
主に図１３、図２３及び図２５を用いて説明する。
外パッキン２１９は挿入溝３７５を構成する外周面３８２と透光性カバー体２０９の端部の外周面２０９ｂとの間に配される。外パッキン２１９は挿入溝３７５の外周面３８２と透光性カバー体２０９の端部の外周面２０９ｂとの間に配される筒状部４２１を少なくとも有する。外パッキン２１９は筒状部４２１以外に挿入溝３７５の底面３８１と透光性カバー体２０９の端面２０９ｃとの間に配される鍔部４２３を有してもよい。
外パッキン２１９の筒状部４２１の外周面は、筒状部４２１の周方向の全周に形成され且つ径方向の外方へと張り出す外側凸リング４２５を軸方向（光源装置５の長手方向）に沿って複数本有する。外パッキン２１９の筒状部４２１の内周面は、筒状部４２１の周方向の全周に形成され且つ径方向の内方へと張り出す内側凸リング４２７を軸方向に沿って複数本有する。これにより光源装置５の密閉性を向上させることができる。
【００６３】
（７−２）内パッキン
主に図１３、図２３及び図２６を用いて説明する。
内パッキン２２１は、第１内筒部分３８７の外周面に配される外周部４２９と、第１内筒部分３８７の内周面側に配される内周部４３１と、第１内筒部分３８７の延出端面（内側端）に対向して配され且つ外周部４２９と内周部４３１とを連結する連結部４３３を有する。
換言すると、外周部４２９は挿入溝３７５を構成する内周面３７９と透光性カバー体２０９の端部の内周面２０９ａとの間に配される。なお、内周面３７９は第１内筒部分３８７の外周面である。内周部４３１は第１内筒部分３８７の内周面３８０に沿って配される。
【００６４】
内パッキン２２１の外周部４２９の外周面は、外周部４２９の周方向の全周に形成され且つ径方向の外方へと張り出す外側凸リング４３５を軸方向に沿って複数本有する。内パッキン２２１の外周部４２９の内周面は、外周部４２９の周方向の全周に形成され且つ径方向の内方へと張り出す内側凸リング４３７を軸方向に沿って複数本有する。これにより光源装置５の密閉性を向上させることができる。
内パッキン２２１は外側凸リング４３５と内側凸リング４３７の少なくとも一方を有すればよい。外側凸リング４３５と内側凸リング４３７との両方を有する方が好ましい。これによりシール性能を向上させることができる。
内パッキン２２１の内周部４３１の外周面は、内周部４３１の周方向の全周に形成され且つ径方向の外方へと張り出す外側凸リング４３９を軸方向に沿って複数本有する。
【００６５】
（８）光源側装置具
主に図１１、図１２、図１７及び図２７を用いて説明する。
光源側装置具２２３は横断面が矩形状に似た形状の筒状をしている。光源側装置具２２３は、当該光源側装置具２２３の軸方向と平行に延伸する溝４４１を有する表壁４４３と、一対の側壁４４５，４４５と、裏壁４４７とを有する。
表壁４４３は透光性カバー体２０９の裏面であって一対のリブ２９５，２９５間に位置する部位に当接する。
一対の側壁４４５，４４５は、表裏方向の中央部分で対向する方向（透光性カバー体２０９の短手方向と同じ方向である。）の外方へと張り出す段差を有している。一対の側壁４４５，４４５における段差４４８よりも表側部分４４５ａ間の距離は、透光性カバー体２０９の一対のリブ２９５，２９５の縦部２９５ａ間の距離に等しい。つまり、一対の側壁４４５，４４５の表側部分４４５ａの外面は一対のリブ２９５，２９５の縦部２９５ａの内面に当接又は近接する。
【００６６】
一対の側壁４４５における表壁４４３から段差４４８との間隔は、透光性カバー体２０９の裏壁２９３ａと一対のリブ２９５のそれぞれ横部２９５ｂの間隔に等しい。つまり、一対の側壁４４５の表側部分４４５ａの裏面は一対のリブ２９５，２９５の横部２９５ｂの内面に当接する。
一対の側壁４４５は光源側装置具２２３をねじ部材で一対のリブ２９５，２９５に固定するためのねじ孔４４９を有している。
裏壁４４７は、照明器具３側のＵ字状線部９３が係合する一対の係合凹み４５１，４５１と、一対の係合凹み４５１，４５１間に設けられ且つ表側へと屈曲する屈曲部４５３とを有する。なお、屈曲部４５３はＵ字状線部９３の係合が外れるのを規制する。
光源側装置具２２３は、一対の側壁４４５，４４５の表側部分４４５ａが透光性カバー体２０９の一対のリブ２９５，２９５に挿入された状態で、ねじ部材により透光性カバー体２０９に固定される。
【００６７】
４．端カバー
主に図２、図７、図２８及び図２９を用いて説明する。
端カバー７は光源装置５に取付部材により取り付けられる。ここでは取付部材としてねじ部材５１５が利用される（図２参照）。照明器具３への光源装置５の装着は光源装置５に端カバー７が取り付けられた状態で行われる。
端カバー７は、少なくとも、光源装置５の端部に取り付けられる取付部５０１と、照明器具３の受入口１４の端部を隠すと共に光源装置５の端部表側を覆う被覆部５０３とを有している。
【００６８】
端カバー７は、光源装置５の長手方向の端部に存在する有孔蓋体２１５及び無孔蓋体２１７に対して外側から嵌合する嵌合部５０５と、照明器具３の受入口１４の長手方向の端部周辺に当接する当接部５０７とを有する。
端カバー７は、光源装置５の長手方向と直交する段付板状部５１１と、段付板状部５１１の外周縁から延出して光源装置５の有孔蓋体２１５又は無孔蓋体２１７に嵌合する嵌合筒部５１３を有している。なお、嵌合部５０５は嵌合筒部５１３により構成される。
【００６９】
段付板状部５１１は、照明器具３に光源装置５が装着された状態において、照明器具３の内部に位置する内板部分５１１ａと、照明器具３の外部に位置する外板部分５１１ｂとを有する。外板部分５１１ｂは、内板部分５１１ａに対して、光源装置５の長手方向の外側に位置する。内板部分５１１ａと外板部分５１１ｂとの間に段差５１１ｃが生じている。なお、図によっては段差５１１ｃを矢印の引き出し線で示している。
内板部分５１１ａには、有孔蓋体２１５及び無孔蓋体２１７のねじ穴３６６に螺合するねじ部材５１５用の貫通孔５１７がねじ穴３６６に対応して２個設けられている。内板部分５１１ａには外ケーブルが配されるケーブル配線路５１９が設けられている。ケーブル配線路５１９は光源装置５の長手方向の外方に突出して表裏方向に延伸する。
【００７０】
外板部分５１１ｂの内面には、内側に突出して光源装置５の有孔蓋体２１５の平板部３６３及び無孔蓋体２１７の平板部３６５を支持する支持片５２１を有している。なお、ここでの支持片５２１は光源装置５の短手方向に相当する幅方向に間隔をおいて２個ある。
端カバー７を光源装置５の長手方向から見たとき、外板部分５１１ｂの幅（光源装置５の短手方向の寸法）は内板部分５１１ａの幅よりも大きい。換言すると、端カバー７は段差５１１ｃが存在する部分に連続して幅方向に張り出す張出部を有している。このため、段差５１３ｃが存在する部分では、照明器具３の端部材３３，３５の表壁５９に当接する端当接部５０７ａと、照明器具３の器具本体１１の表壁２５，２７に当接する２つの側当接部５０７ｂとを有する。側当接部５０７ｂにおける内側端（光源装置５の長手方向に相当する方向の端である。）は嵌合筒部５１３の内側端と一致している。
【００７１】
被覆部５０３は、端当接部５０７ａ及び側当接部５０７ｂとからなる当接部(平坦部）５０７の短手方向の両端からドーム状に張り出し、長手方向の端が外板部分５１１ｂに連結している。
端カバー７付きの光源装置５が照明器具３に取り付けられると、光源装置５の蓋体２１５，２１７の凹入部３７１が端カバー７により被覆される。これにより、蓋体２１５，２１７の凹入部３７１に雨水等が直接吹き込むのを防止できる。さらに、端カバー７により凹入部３７１が見えなくなり、照明装置１（光源装置５の端部）の意匠性を高めることができる。
【００７２】
＜変形例＞
１．パッキン
（１）外パッキン
外パッキンは、蓋体の外筒と透光性カバー体の外周面との間に配されている部分を有していればよく、例えば、蓋体の外筒の外周面に配される部分を一体に有してもよい。
（２）内パッキン
内パッキンの外周部は、内筒の外周面の全領域に亘って配されてもよいし、一部領域に配されてもよい。内パッキンの内周部は、内筒の内周面の全領域に亘って配されてもよいし、一部領域に配されてもよい。
（３）その他
パッキンは、外パッキンと内パッキンとを別体で有してもよいし、外パッキンと内パッキンとを一体（例えば「Ｓ」字状）で有してもよい。
【００７３】
２．電源ユニット
（１）電源ユニットは、例えば絶縁シートを電源回路部に巻き付けて、絶縁筒内に挿入配置してもよい。これにより電源回路部の絶縁性を向上させることができる。
（２）光源装置外の商用電源と接続する外ケーブルを回路基板の長手方向の一端で、ＬＥＤモジュールと接続する内ケーブルを回路基板の長手方向の他端でそれぞれ接続していたが、両ケーブルを回路基板の１つの端で接続するようにしてもよい。
（３）電源ユニットは電源回路部を気密状態（気密に近い状態）で収容できる電源筐体を備えればよく、電源筐体の形状は長尺箱状に限定するものではない。
（４）電源回路部は、ＬＥＤモジュールを点灯させるため電力を生成する以外に、例えば調光用の回路を有してもよいし、調色用の回路を有してもよい。
【００７４】
３．筒体
筒部の横断面形状は矩形状の表側の角（隅）が凹入したような形状をしているが、他の形状であってもよい。なお、凹入した部分の内面間の距離が電源筐体の側壁の外面間の距離に対応していると、電源ユニットの短手方向（凹入した部分を結ぶ方向）の移動を規制できる。なお、凹入部の代わりに側壁内面から張り出すリブによっても電源ユニットの移動を規制できる。
【００７５】
４．端カバー
実施形態では、端カバーは光源装置の長手方向の両端に固定されているが、例えば、端カバーを透光性カバー体に装着されたものを光源装置としてもよい。
【符号の説明】
【００７６】
１    照明装置
３    照明器具
５    光源装置
２０３    筒体
２０５    ＬＥＤモジュール
２０７    電源ユニット
２０９    透光性カバー体
２１１    位置決め部材
２１３    位置決め部材
２１５    蓋体
２１７    蓋体
２１９    外パッキン
２２１    内パッキン
４２９    外周部
４３１    内周部
４３３    連結部
【図１】
0006552956.tif 000002
【図２】
0006552956.tif 000003
【図３】
0006552956.tif 000004
【図４】
0006552956.tif 000005
【図５】
0006552956.tif 000006
【図６】
0006552956.tif 000007
【図７】
0006552956.tif 000008
【図８】
0006552956.tif 000009
【図９】
0006552956.tif 000010
【図１０】
0006552956.tif 000011
【図１１】
0006552956.tif 000012
【図１２】
0006552956.tif 000013
【図１３】
0006552956.tif 000014
【図１４】
0006552956.tif 000015
【図１５】
0006552956.tif 000016
【図１６】
0006552956.tif 000017
【図１７】
0006552956.tif 000018
【図１８】
0006552956.tif 000019
【図１９】
0006552956.tif 000020
【図２０】
0006552956.tif 000021
【図２１】
0006552956.tif 000022
【図２２】
0006552956.tif 000023
【図２３】
0006552956.tif 000024
【図２４】
0006552956.tif 000025
【図２５】
0006552956.tif 000026
【図２６】
0006552956.tif 000027
【図２７】
0006552956.tif 000028
【図２８】
0006552956.tif 000029
【図２９】
0006552956.tif 000030